(57)【特許請求の範囲】
【請求項１】
第１端子が収容される第１ハウジングを有する第１コネクタと、
第２端子が収容される第２ハウジングを有し，前記第１コネクタと嵌合する第２コネクタと、
を備え、
前記第１ハウジングの内部に前記第２ハウジングが挿入されることによって、前記第１コネクタと前記第２コネクタとが嵌合して前記第１端子と前記第２端子とが接続され、
前記第１コネクタは、
前記第１ハウジングの内部に収容され、前記第２ハウジングの挿入方向における前記第１端子の手前側の初期位置と奥側の退避位置との間で移動可能なムービングプレートと、
前記初期位置において前記ムービングプレートに設けられたロック係止片と係止して前記ムービングプレートを前記第１ハウジングに対して移動不能に係止する初期位置係止部と、
を有し、
前記第２コネクタは，
前記第２ハウジングが前記第１ハウジングの開口に挿入されることによって、前記ロック係止片に当接して前記ロック係止片を弾性変形させることにより、前記ムービングプレートの前記初期位置係止部に対する係止を解除する係止解除部と、
前記ロック係止片の反対側に設けられた引戻係止片と前記ロック係止片が弾性変形した状態で当接するプレート引戻片と、
を有し、
前記ムービングプレートは、前記初期位置係止部による係止を前記係止解除部が解除して前記ロック係止片が弾性変形した状態において、前記第1ハウジングの内部への前記第２ハウジングの挿入により前記初期位置から前記退避位置に移動し、かつ、前記第２ハウジングの前記第１ハウジングからの離脱により前記プレート引戻片が前記引戻係止片に当接して前記退避位置から前記初期位置に移動することを特徴とするシールドコネクタ。
【請求項２】
前記初期位置係止部は、前記第１ハウジングの内部に収容されて前記挿入方向に沿って延在し、先端が前記第１ハウジングの開口に臨むロック係止壁を含み、
前記ムービングプレートは、前記初期位置において前記ロック係止壁の先端に係止される前記ロック係止片を、前記第１ハウジングの開口に露出する先端に有する弾性変形部を有し、
前記係止解除部は、前記第２ハウジングが前記第１ハウジングの開口に挿入されることによって前記ロック係止片に当接し、前記ロック係止片の前記ロック係止壁に対する係止が解除されるように前記弾性変形部を弾性変形させるロック解除片を有することを特徴とする請求項１に記載のシールドコネクタ。
【請求項３】
前記第２コネクタは、前記ロック解除片との当接により弾性変形した前記弾性変形部をロック解除片と協働して狭持する前記プレート引戻片を有し、
前記ムービングプレートは、
前記第１コネクタと前記第２コネクタとの離脱時に、前記弾性変形部を狭持した前記ロック解除片と前記プレート引戻片とが前記第１ハウジングの開口側に移動することで、前記退避位置から前記初期位置に復帰し、
前記ロック解除片が前記弾性変形部の先端から離脱して前記ロック係止片が前記ロック係止壁に係止されることで、前記初期位置において前記第１ハウジングに対して移動不能となることを特徴とする請求項２に記載のシールドコネクタ。
【発明の詳細な説明】
【技術分野】
【０００１】
本発明は、雄コネクタと雌コネクタとを備えるシールドコネクタに関する。
【背景技術】
【０００２】
近年において、雄端子が収容される雄コネクタと、雌端子が収容される雌コネクタとを備えるコネクタは、電気自動車等の普及によって高電圧の条件下で使用されるようになっている。
【０００３】
例えば、高電圧の条件下で使用されるコネクタとして、雄コネクタの雄ハウジング及び雌コネクタの雌ハウジングの内部に、シールド電線の編組線と電気的に接続される金属シェルがそれぞれ設けられたシールドコネクタが知られている（例えば、特許文献１参照）。このシールドコネクタでは、雄コネクタと雌コネクタとの嵌合時に、雄コネクタと雌コネクタの金属シェルが互いに嵌合して、互いのシールド電線の編組線が接続されるため、高周波シールドを実現できる。
【先行技術文献】
【特許文献】
【０００４】
【特許文献１】特開平１１−１２６６５７号公報
【発明の概要】
【発明が解決しようとする課題】
【０００５】
しかしながら、従来のシールドコネクタでは、高電圧の通電に対応するために、シールド電線や雄端子・雌端子（以下、端子）が大型化され、これに伴い、雄コネクタ及び雌コネクタも大型化されている。このため、雄ハウジング及び雌ハウジングの開口が広く、雄コネクタと雌コネクタとの離脱時において工具等が端子に直接触れて電気系統の故障を引き起こしてしまう可能性があった。従って、端子に接触する可能性がある工具等に対する端子の保護については、未だ改善の余地があった。
【０００６】
そこで、本発明は、雄コネクタと雌コネクタとの離脱時において、端子に接触する可能性がある工具等に対する端子の保護を確保できるシールドコネクタの提供を目的とする。
【課題を解決するための手段】
【０００７】
本発明の第１の態様によれば、第１端子が収容される第１ハウジングを有する第１コネクタと、第２端子が収容される第２ハウジングを有し、前記第１コネクタと嵌合する第２コネクタと、を備え、前記第１ハウジングの内部に前記第２ハウジングが挿入されることによって、前記第１コネクタと前記第２コネクタとが嵌合して前記第１端子と前記第２端子とが接続され、前記第１コネクタは、前記第１ハウジングの内部に収容され、前記第２ハウジングの挿入方向における前記第１端子の手前側の初期位置と奥側の退避位置との間で移動可能なムービングプレートと、前記初期位置において前記ムービングプレートに設けられたロック係止片と係止して前記ムービングプレートを前記第１ハウジングに対して移動不能に係止する初期位置係止部と、を有し、前記第２コネクタは、前記第２ハウジングが前記第１ハウジングの開口に挿入されることによって、前記ロック係止片に当接して前記ロック係止片を弾性変形させることにより、前記ムービングプレートの前記初期位置係止部に対する係止を解除する係止解除部と、前記ロック係止片の反対側に設けられた引戻係止片と前記ロック係止片が弾性変形した状態で当接するプレート引戻片と、を有し、前記ムービングプレートは、前記初期位置係止部による係止を前記係止解除部が解除して前記ロック係止片が弾性変形した状態において、前記第1ハウジングの内部への前記第２ハウジングの挿入により前記初期位置から前記退避位置に移動し、かつ、前記第２ハウジングの前記第１ハウジングからの離脱により前記プレート引戻片が前記引戻係止片に当接して前記退避位置から前記初期位置に移動することを特徴とするシールドコネクタを提供する。
【０００８】
本発明の第１の態様によれば、第１コネクタは、初期位置においてムービングプレートに設けられたロック係止片と係止してムービングプレートを第１ハウジングに対して移動不能に係止する初期位置係止部を有する。これにより、ムービングプレートは、第１コネクタと第２コネクタとの離脱時において第１ハウジングの開口を閉塞できる。このため、工具等や作業者の指が第１端子に触れることを防止でき、かつ、第１端子に接触する可能性がある工具等に対する第１端子の保護を確保できる。加えて、作業者が仮にムービングプレートを退避位置側へ押圧してしまった場合であっても、ムービングプレートが初期位置係止部に係止されているため、第１端子に接触する可能性がある工具等に対する第１端子の保護を確実に確保できる。
【０００９】
また、ムービングプレートは、初期位置係止部による係止を係止解除部が解除してロック係止片が弾性変形した状態において、第１ハウジングの内部への第２ハウジングの挿入により初期位置から退避位置に移動し、かつ、第２ハウジングの第１ハウジングからの離脱によりプレート引戻片が引戻係止片に当接して退避位置から初期位置に移動する。これにより、第２ハウジグを第１ハウジングの開口に挿入するのみでムービングプレートが退避位置に移動するため、ムービングプレートを第１ハウジングから敢えて取り外す必要なく、第１コネクタと第２コネクタとの嵌合を容易にできる。
【００１０】
本発明の第２の態様によれば、前記初期位置係止部は、前記第１ハウジングの内部に収容されて前記挿入方向に沿って延在し、先端が前記第１ハウジングの開口に臨むロック係止壁を含み、前記ムービングプレートは、前記初期位置において前記ロック係止壁の先端に係止される前記ロック係止片を、前記第１ハウジングの開口に露出する先端に有する弾性変形部を有し、前記係止解除部は、前記第２ハウジングが前記第１ハウジングの開口に挿入されることによって前記ロック係止片に当接し、前記ロック係止片の前記ロック係止壁に対する係止が解除されるように前記弾性変形部を弾性変形させるロック解除片を有する。
【００１１】
本発明の第２の態様によれば、ロック解除片は、第２ハウジングが第１ハウジングの開口に挿入されることによってロック係止片に当接し、ロック係止片のロック係止壁に対する係止が解除されるように弾性変形部を弾性変形させる。これにより、簡単な構造で第１端子に接触する可能性がある工具等に対する第１端子の保護を確実に確保できる。また、第２ハウジングを第１ハウジングの開口に挿入するのみで、ロック係止片のロック係止壁に対する係止が解除されるため、第１コネクタと第２コネクタとの嵌合をさらに容易できる。
【００１２】
本発明の第３の態様によれば、前記第２コネクタは、前記ロック解除片との当接により弾性変形した前記弾性変形部をロック解除片と協働して狭持する前記プレート引戻片を有し、前記ムービングプレートは、前記第１コネクタと前記第２コネクタとの離脱時に、前記弾性変形部を狭持した前記ロック解除片と前記プレート引戻片とが前記第１ハウジングの開口側に移動することで、前記退避位置から前記初期位置に復帰し、前記ロック解除片が前記弾性変形部の先端から離脱して前記ロック係止片が前記ロック係止壁に係止されることで、前記初期位置において前記第１ハウジングに対して移動不能となる。
【００１３】
本発明の第３の態様によれば、ムービングプレートは、第１コネクタと第２コネクタとの離脱時に前記退避位置から前記初期位置に復帰し、初期位置において第１ハウジングに対して移動不能となる。これにより、ムービングプレートは、第２コネクタが第１コネクタから離脱されることに伴い、第１ハウジングの開口を閉塞できる。このため、第１コネクタと第２コネクタとが離脱されても、第１端子に接触する可能性がある工具等に対する第１端子の保護をより確実に確保できる。
【発明の効果】
【００１６】
本発明の特徴によれば、雄コネクタと雌コネクタとの離脱時において、端子に接触する可能性がある工具等に対する端子の保護を確保できるシールドコネクタを提供することができる。
【図面の簡単な説明】
【００１７】
【図１Ａ】図１Ａは、雄コネクタ１００側から見た、本発明の第１実施形態に係るシールドコネクタ１を示す斜視図である。
【図１Ｂ】図１Ｂは、雌コネクタ２００側から見た、本発明の第１実施形態に係るシールドコネクタ１を示す斜視図である。
【図２Ａ】図２Ａは、雄コネクタ１００の嵌合側から見た、本発明の第１実施形態に係る雄コネクタ１００を示す斜視図である。
【図２Ｂ】図２Ｂは、雄コネクタ１００の離脱側から見た、本発明の第１実施形態に係る雄コネクタ１００を示す斜視図である。
【図３】図３は、本発明の第１実施形態に係る雄コネクタ１００を示す分解斜視図である。
【図４Ａ】図４Ａは、雌コネクタ２００の嵌合側から見た、本発明の第１実施形態に係る雌コネクタ２００を示す斜視図である。
【図４Ｂ】図４Ｂは、雌コネクタ２００の離脱側から見た、本発明の第１実施形態に係る雌コネクタ２００を示す斜視図である。
【図５】図５は、本発明の第１実施形態に係る雌コネクタ２００を示す分解斜視図である。
【図６Ａ】図６Ａは、本発明の第１実施形態に係るシールドコネクタ１を示す正面図である。
【図６Ｂ】図６Ｂは、本発明の第１実施形態に係るシールドコネクタ１を示す縦断面図である。
【図７Ａ】図７Ａは、本発明の第１実施形態に係るムービングプレート１２０を示す斜視図である。
【図７Ｂ】図７Ｂは、本発明の第１実施形態に係る弾性変形部１３０を示す斜視図である。
【図７Ｃ】図７Ｃは、本発明の第１実施形態に係る弾性変形部１３０を示す縦断面図である。
【図８Ａ】図８Ａは、ムービングプレート１２０が初期位置にあるときの、本発明の第１実施形態に係るムービングプレート１２０及びインナハウジング１１１，２１１の一部を示す斜視図である。
【図８Ｂ】図８Ｂは、ムービングプレート１２０が退避位置にあるときの、本発明の第１実施形態に係るムービングプレート１２０及びインナハウジング１１１，２１１の一部を示す斜視図である。
【図９】図９は、本発明の第１実施形態に係る雄コネクタ１００と雌コネクタ２００との嵌合状態を示す第１動作図である。
【図１０】図１０は、本発明の第１実施形態に係る雄コネクタ１００と雌コネクタ２００との嵌合状態を示す第２動作図である。
【図１１】図１１は、本発明の第１実施形態に係る雄コネクタ１００と雌コネクタ２００との嵌合状態を示す第３動作図である。
【図１２】図１２は、本発明の第１実施形態に係る雄コネクタ１００と雌コネクタ２００との嵌合状態を示す第４動作図である。
【図１３】図１３は、本発明の第１実施形態に係る雄コネクタ１００と雌コネクタ２００との嵌合状態を示す第５動作図である。
【図１４】図１４は、本発明の第１実施形態に係る雄コネクタ１００と雌コネクタ２００との嵌合状態を示す第６動作図である。
【図１５】図１５は、本発明の第１実施形態に係る雄コネクタ１００と雌コネクタ２００との嵌合状態を示す第７動作図である。
【図１６】図１６は、本発明の第２実施形態に係るシールドコネクタ２を示す第１側面図である。
【図１７】図１７は、本発明の第２実施形態に係るシールドコネクタ２を示す第２側面図である。
【図１８】図１８は、本発明の第２実施形態に係るシールドコネクタ２を示す第３側面図である。
【発明を実施するための形態】
【００１８】
次に、本発明に係るシールドコネクタの実施形態について、図面を参照しながら説明する。具体的には、第１実施形態、第２実施形態、その他の実施形態について説明する。
【００１９】
なお、以下の図面の記載において、同一または類似の部分には、同一または類似の符号を付している。ただし、図面は模式的なものであり、各寸法の比率などは現実のものとは異なる。
【００２０】
したがって、具体的な寸法などは以下の説明を参酌して判断すべきである。また、図面相互間においても互いの寸法の関係や比率が異なる部分が含まれる。
【００２１】
（第１実施形態）
（１）シールドコネクタ１の構成
まず、第１実施形態に係るシールドコネクタ１の構成について、図面を参照しながら説明する。図１Ａ、１Ｂは、第１実施形態に係るシールドコネクタ１を示す斜視図である。図２Ａ、２Ｂは、第１実施形態に係る雄コネクタ１００を示す斜視図である。図３は、第１実施形態に係る雄コネクタ１００を示す分解斜視図である。図４Ａ、４Ｂは、第１実施形態に係る雌コネクタ２００を示す斜視図である。図５は、第１実施形態に係る雌コネクタ２００を示す分解斜視図である。図６Ａ、６Ｂは、第１実施形態に係るシールドコネクタ１を示す正面図・縦断面図である。
【００２２】
以下の説明において、端子（電線）の長手方向をシールドコネクタ１（他の部材）の「前後方向」とする。特に、雄コネクタ１００において、雄コネクタ１００と雌コネクタ２００との嵌合側（図２Ａの手前側）を「前側」とし、反対の離脱側（図２Ａの電線が延出している奥側）を「後側」とする。同様に、雌コネクタ２００において、雄コネクタ１００と雌コネクタ２００との嵌合側（図４Ａの手前側）を「前側」とし、反対の離脱側（図４Ａの電線が延出している奥側）を「後側」とする。また、複数の端子が並んでいる方向を「横方向」とし、前後方向および横方向に直交する方向を「縦方向」とする。
【００２３】
図１Ａ〜図３に示すように、シールドコネクタ１は、複数の電線１０１，２０１を編組線１０３，２０３で被覆した２つの多芯シールドケーブルの端末に取り付けられ、多芯シールドケーブル同士を接続するものである。
【００２４】
シールドコネクタ１は、雄ハウジング１１０（第１ハウジング）を有する雄コネクタ１００（第１コネクタ）と、雌ハウジング２１０（第２ハウジング）を有し、雄コネクタ１００と嵌合する雌コネクタ２００（第２コネクタ）とを備える。
【００２５】
雄ハウジング１１０の内部に雌ハウジング２１０が挿入されることによって、雄コネクタ１００と雌コネクタ２００とが嵌合して雄端子１０２と雌端子２０２とが接続される。
【００２６】
（２）雄コネクタ１００
図２Ａ、２Ｂ，図３及び図６Ａ、６Ｂに示すように、雄ハウジング１１０は、絶縁性の樹脂によって形成されており、各電線１０１の端末に加締められた雄端子１０２（第１端子）が収容されている。雄ハウジング１１０は、インナハウジング１１１と、インナハウジング１１１を覆うアウタハウジング１１２とを備えている。インナハウジング１１１及びアウタハウジング１１２は、連結部分（不図示）を介して一体に形成される。
【００２７】
インナハウジング１１１の内部における前側には、工具等や作業者の指が雄端子１０２に直接触れないようにするためのムービングプレート１２０が設けられている。なお、ムービングプレート１２０の詳細については、後述する。
【００２８】
インナハウジング１１１の内部における後側（電線１０１の外周）には、絶縁性のゴム材によって形成されるゴム栓１４０が設けられる。ゴム栓１４０は、各電線１０１が挿通される電線挿通孔１４１を有しており、インナハウジング１１１の内周と電線１０１の外周とに密着する。ゴム栓１４０の後側には、電線１０１の動きを規制するリアホルダ１５０が設けられる。リアホルダ１５０は、各電線１０１が挿通される電線挿通孔１５１を有しており、電線１０１を支持しつつ、ゴム栓１４０がインナハウジング１１１から外れることを防止する。
【００２９】
また、インナハウジング１１１の外周には、筒状の金属シェル本体１６０と、金属シェル本体１６０に嵌合される編組線固定部材１７０とが設けられている。編組線固定部材１７０には、編組線加締部材１９０により編組線１０３が加締められることによって、編組線１０３と金属シェル本体１６０とが導通接続される。
【００３０】
このようなインナハウジング１１１の内面は、図６Ａ、６Ｂに示すように、突起案内溝１１１Ａが形成されている。また、インナハウジング１１１の内部には、２つの雄端子１０２が収容される端子収容室１１１Ｂ（図３参照）が形成されている。
【００３１】
また、インナハウジング１１１の内部（端子収容室１１１Ｂ内）には、雌ハウジング２１０の挿入方向ＩＤにおける雄端子１０２の手前側の初期位置において、ムービングプレート１２０をインナハウジング１１１に対して移動不能に係止する初期位置係止部１０（図６Ａ、６Ｂ参照）が設けられる。
【００３２】
初期位置係止部１０は、インナハウジング１１１の内部に収容されて雌ハウジング２１０の挿入方向ＩＤに沿って延在し、先端がインナハウジング１１１の開口に臨むロック係止壁１１と、ムービングプレート１２０の一部（後述するロック係止片１３１）とを含んで構成されている。
【００３３】
（３）雌コネクタ２００
図１Ａ、１Ｂ及び図４Ａ〜図６Ｂに示すように、雌ハウジング２１０は、雄ハウジング１１０と同様に絶縁性の樹脂によって形成されており、各電線２０１の端末に加締められた雌端子２０２（第２端子）が収容されている。雌ハウジング２１０は、インナハウジング２１１と、このインナハウジング２１１を覆うアウタハウジング２１２とを備え、インナハウジング２１１及びアウタハウジング２１２は、連結部分（不図示）を介して一体に形成される。
【００３４】
インナハウジング２１１の内部における前側には、絶縁性のゴム材によって形成されるパッキン２２０が設けられている。パッキン２２０は、雄コネクタ１００と雌コネクタ２００とが嵌合されると、雄ハウジング１１０のアウタハウジング１１２の内周と雌ハウジング２１０のアウタハウジング２１２の内周とに密着する。
【００３５】
インナハウジング２１１の内部における後側（電線２０１の外周）には、絶縁性のゴム材によって形成されるゴム栓２４０が設けられる。ゴム栓２４０は、各電線２０１が挿通される電線挿通孔２４１を有しており、インナハウジング２１１の内周と電線２０１の外周とに密着する。ゴム栓２４０の後側には、電線２０１の動きを規制するリアホルダ２５０が設けられる。リアホルダ２５０は、各電線２０１が挿通される電線挿通孔２５１を有しており、電線２０１を支持しつつ、ゴム栓２４０がインナハウジング２１１から外れることを防止する。
【００３６】
また、インナハウジング２１１の外周には、筒状の金属シェル本体２６０と、金属シェル本体２６０に嵌合される編組線固定部材２７０とが設けられている。編組線固定部材２７０には、編組線加締部材２９０により編組線２０３が加締めされることによって、編組線２０３と金属シェル本体２６０とが導通接続される。これにより、金属シェル本体２６０は、雄コネクタ１００と雌コネクタ２００とが嵌合されると、雄コネクタ１００に設けられた金属シェル本体１６０と嵌合されて、編組線１０３と編組線２０３とが導通接続される。
【００３７】
また、インナハウジング２１１の外周に、インナハウジング２１１に対して回動可能なレバー３００が設けられている。レバー３００は、回動によって雄コネクタ１００と雌コネクタ２００とを嵌合離脱させる。
【００３８】
このようなインナハウジング２１１の内部には、雄端子１０２が挿通可能な端子挿入穴２１１Ａが形成されている。また、インナハウジング２１１の内部には、２つの雌端子２０２が収容される端子収容室（不図示）が形成されている。
【００３９】
また、インナハウジング２１１の内部には、図４Ａ、４Ｂ及び図６Ａ、６Ｂに示すように、インナハウジング２１１がインナハウジング１１１の開口（端子収容室１１１Ｂ）に挿入されることによって、初期位置係止部１０と係合してムービングプレート１２０のインナハウジング１１１に対する係止を解除する係止解除部２０が設けられる。
【００４０】
係止解除部２０は、雄コネクタ１００と雌コネクタ２００とを嵌合時において初期位置係止部１０の横方向にずれた位置に設けられる。係止解除部２０は、インナハウジング２１１がインナハウジング１１１の開口に挿入されることによってムービングプレート１２０（ロック係止片１３１）に当接し、ムービングプレート１２０の初期位置係止部１０に対する係止が解除させるロック解除片２１を有している。
【００４１】
また、インナハウジング２１１の内部には、ムービングプレート１２０を退避位置から初期位置に移動するプレート引戻片２２が設けられている。
【００４２】
（４）ムービングプレート１２０の構成
次に、ムービングプレート１２０の構成について、図面を参照しながら説明する。図７Ａ、７Ｂは、第１実施形態に係るムービングプレート１２０を示す図である。図８Ａ、８Ｂは、第１実施形態に係るムービングプレート１２０及びインナハウジング１１１，２１１の一部を示す斜視図である。
【００４３】
図７Ａ、７Ｂ及び図８Ａ、８Ｂに示すように、ムービングプレート１２０は、インナハウジング１１１の内部に収容されている。ムービングプレート１２０は、雌ハウジング２１０の挿入方向ＩＤにおける雄端子１０２の手前側の初期位置と奥側の退避位置との間で移動可能である。
【００４４】
ムービングプレート１２０は、２つの雄端子１０２が挿通して雄ハウジング１１０の開口に雄端子１０２を露出可能な２つの端子挿通孔１２１が横方向に並列した状態で形成されている。また、ムービングプレート１２０には、インナハウジング１１１の初期位置係止部１０とインナハウジング２１１のロック解除片２１が挿通可能な挿通空間１２２と、プレート引戻片２２が挿通可能な挿通空間１２３とが形成されている。
【００４５】
ムービングプレート１２０は、インナハウジング１１１の開口に先端が露出する弾性変形可能な弾性変形部１３０を有している。弾性変形部１３０は、奥側でムービングプレート１２０に片持ち支持されている。
【００４６】
弾性変形部１３０は、初期位置においてロック係止壁１１の先端面１１Ａ（図８Ａ、８Ｂ参照）に係止されるロック係止片１３１を、インナハウジング１１１の開口に露出する先端に有している。ロック係止片１３１は、先端面１１Ａに係止される係止壁面１３１Ａと、係止壁面１３１Ａに連なる上壁面１３１Ｂと、上壁面１３１Ｂに連なる傾斜壁面１３１Ｃとを有する。係止壁面１３１Ａは、弾性変形部１３０の上面に対して直交するように設けられている。上壁面１３１Ｂは、弾性変形部１３０の上面に沿って設けられている。傾斜壁面１３１Ｃは、上壁面１３１Ｂに対して傾斜するように設けられている。
【００４７】
ロック係止片１３１には、インナハウジング２１１がインナハウジング１１１の開口に挿入されることによってロック解除片２１が当接し、弾性変形部１３０は、弾性変形される。
【００４８】
弾性変形部１３０は、ロック係止片１３１と対向する位置、すなわち、弾性変形部１３０の先端（前側）の下面に設けられる引戻係止片１３２を有している。引戻係止片１３２は、プレート引戻片２２に係止される係止壁面１３２Ａと、係止壁面１３２Ａに連なる下壁面１３２Ｂと、下壁面１３２Ｂに連なる前壁面１３２Ｃとを有する。係止壁面１３２Ａは、弾性変形部１３０の下面に対して傾斜するように設けられている。下壁面１３２Ｂは、弾性変形部１３０の下面に沿って設けられている。
【００４９】
引戻係止片１３２は、雄コネクタ１００と雌コネクタ２００との離脱時に、プレート引戻片２２に係止されるとともに、ロック解除片２１とプレート引戻片２２とにより協動して挟持される。これにより、弾性変形部１３０を挟持したロック解除片２１とプレート引戻片２２とがインナハウジング１１１の開口側に移動することで、ムービングプレート１２０は、退避位置から初期位置に復帰する。
【００５０】
ムービングプレート１２０は、ムービングプレート１２０がインナハウジング１１１から外れなくするための係止突起１２４を有している。
【００５１】
係止突起１２４は、ムービングプレート１２０の上面及び下面に形成されるスライド溝部１２５の後側に設けられ、スライド溝部１２５の底面から外方に向かって突出している。係止突起１２４は、インナハウジング１１１に形成される突起案内溝１１１Ａ内を前後方向に移動可能であるとともに、突起案内溝１１１Ａの前側壁面（図６Ｂ参照）に係止される。
【００５２】
（５）ムービングプレート１２０の動き
次に、上述したムービングプレート１２０の動きについて、図面を参照しながら説明する。図９〜図１５は、第１実施形態に係る雄コネクタ１００と雌コネクタ２００との嵌合状態を示す動作図である。
【００５３】
（５．１）雄コネクタ１００と雌コネクタ２００との嵌合
図９に示すように、雄コネクタ１００と雌コネクタ２００とが嵌合する前の状態では、ロック係止片１３１は、インナハウジング１１１内の初期位置係止部１０（ロック係止壁１１の先端面１１Ａ）に係止されている。このとき、ムービングプレート１２０は、雄端子１０２の先端側に位置しているため、雄端子１０２が雄ハウジング１１０の開口に露出していない。
【００５４】
次いで、図１０に示すように、雄ハウジング１１０の内部への雌ハウジング２１０の挿入が徐々に進むと、ロック係止片１３１（傾斜壁面１３１Ｃ）に、インナハウジング２１１内の係止解除部２０（ロック解除片２１）の先端が当接する。そして、弾性変形部１３０が弾性変形し、先端面１１Ａに対するロック係止片１３１の係止が解除される。また、ムービングプレート１２０は、初期位置係止部１０による係止を係止解除部２０が解除した状態において、雄ハウジング１１０の内部への雌ハウジング２１０の挿入（雌ハウジング２１０の押圧）により初期位置から退避位置に移動する。
【００５５】
すると、図１１に示すように、弾性変形部１３０が弾性変形した状態で、ロック係止片１３１がロック解除片２１の下面とプレート引戻片２２とに挟持され、ムービングプレート１２０が退避位置に向かって移動する。このとき、雄端子１０２が端子挿通孔１２１を挿通して雄ハウジング１１０の開口へ徐々に露出されるとともに、係止突起１２４が突起案内溝１１１Ａ内をスライドする。
【００５６】
次いで、図１２に示すように、雄コネクタ１００と雌コネクタ２００との嵌合すると、雄端子１０２が端子挿通孔１２１を挿通して雄ハウジング１１０の開口へ完全に露出された状態となり、雄端子１０２と雌コネクタ２００とが導通接続される。
【００５７】
（５．２）雄コネクタ１００と雌コネクタ２００との離脱
図１３に示すように、レバー３００の回動とともに雄コネクタ１００と雌コネクタ２００との離脱が徐々に進むと、プレート引戻片２２が引戻係止片１３２（係止壁面１３２Ａ）に係止される。そして、ムービングプレート１２０は、弾性変形部１３０を挟持したロック解除片２１とプレート引戻片２２とが雄ハウジング１１０の開口側に移動することで、退避位置から初期位置に徐々に復帰する。
【００５８】
次いで、図１４及び図１５に示すように、ムービングプレート１２０は、ロック解除片２１が弾性変形部１３０の先端から離脱してロック係止片１３１がロック係止壁１１の先端面１１Ａに係止されることで、初期位置においてインナハウジング１１１に対して移動不能となる。そして、プレート引戻片２２に対する引戻係止片１３２の係止が解除され、雄コネクタ１００と雌コネクタ２００とが離脱する。このとき、雄端子１０２が雄ハウジング１１０の開口に露出せずに、係止突起１２４が突起案内溝１１１Ａの前側壁面に係止されている。これにより、ムービングプレート１２０は、インナハウジング１１１から外れなくなっている。
【００５９】
（６）作用・効果
以上説明した第１実施形態では、雄コネクタ１００は、初期位置においてムービングプレート１２０を雄ハウジング１１０に対して移動不能に係止する初期位置係止部１０を有する。これにより、ムービングプレート１２０は、雄コネクタ１００と雌コネクタ２００との離脱時において雄ハウジング１１０の開口を閉塞できる。このため、工具等や作業者の指が雄端子１０２に触れることを防止でき、かつ、雄端子１０２に接触する可能性がある工具等に対する雄端子１０２の保護を確保できる。加えて、作業者が仮にムービングプレート１２０を退避位置側へ押圧してしまった場合であっても、ムービングプレート１２０が初期位置係止部１０に係止されているため、雄端子１０２に接触する可能性がある工具等に対する雄端子１０２の保護を確実に確保できる。
【００６０】
また、ムービングプレート１２０は、初期位置係止部１０による係止を係止解除部２０が解除した状態において、雄ハウジング１１０の内部への雌ハウジング２１０の挿入により初期位置から退避位置に移動する。これにより、雌ハウジング２１０を雄ハウジング１１０の開口に挿入するのみでムービングプレート１２０が退避位置に移動するため、ムービングプレート１２０を雄ハウジング１１０から敢えて取り外す必要なく、雄コネクタ１００と雌コネクタ２００との嵌合を容易にできる。
【００６１】
第１実施形態では、ロック解除片２１は、雌ハウジング２１０が雄ハウジング１１０の開口に挿入されることによってロック係止片１３１に当接し、ロック係止片１３１のロック係止壁１１に対する係止が解除されるように弾性変形部１３０を弾性変形させる。これにより、簡単な構造で雄端子１０２に接触する可能性がある工具等に対する雄端子１０２の保護を確実に確保できる。また、雌ハウジング２１０を雄ハウジング１１０の開口に挿入するのみで、ロック係止片１３１のロック係止壁１１に対する係止が解除されるため、雄コネクタ１００と雌コネクタ２００との嵌合をさらに容易にできる。
【００６２】
第１実施形態では、ムービングプレート１２０は、雄コネクタ１００と雌コネクタ２００との離脱時に退避位置から初期位置に復帰し、初期位置において雄ハウジング１１０に対して移動不能となる。これにより、ムービングプレート１２０は、雌コネクタ２００が雄コネクタ１００から離脱されることに伴い、雄ハウジング１１０の開口を閉塞できる。このため、第１コネクタと第２コネクタとが離脱されても、第１端子に接触する可能性がある工具等に対する第１端子の保護をより確実に確保できる。
【００６３】
（第２実施形態）
次に、第２実施形態に係るシールドコネクタ２について、図面を参照しながら説明する。なお、上述した第１実施形態に係るシールドコネクタ１と同一部分には同一の符号を付して、相違する部分を主として説明する。
【００６４】
（１）シールドコネクタ２の構成
まず、第２実施形態に係るシールドコネクタ２の構成について、図面を参照しながら説明する。図１６〜図１８は、第２実施形態に係るシールドコネクタ２を示す側面図である。
【００６５】
ここで、上述した第１実施形態では、ムービングプレート１２０は、インナハウジング２１１の押圧によって、初期位置から退避位置に移動している。
【００６６】
これに対して、第２実施形態では、ムービングプレート１２０は、雄ハウジング１１０に設けられるレバー４００の回動に伴って、初期位置と退避位置との間を移動する。具体的には、図１６〜図１８に示すように、雄コネクタ１００は、回動によって雄コネクタ１００と雌コネクタ２００とを嵌合離脱させるレバー４００を備えている。
【００６７】
レバー４００は、回動軸４１０を中心に回動する。このレバー４００には、雌ハウジング２１０に形成されるカムピン２１５が進入するカム溝４２０が形成されている。また、レバー４００は、ムービングプレート１２０側に向かって突出し、ムービングプレート１２０を移動させるピン４３０を備えている。
【００６８】
雄ハウジング１１０には、レバー４００の回動前の位置でレバー４００を保持する回動前ロック部１１５（図１７及び図１８参照）と、レバー４００の回動後の位置でレバー４００を保持する回動後ロック部１１６（図１６及び図１７）とが設けられている。
【００６９】
また、雄ハウジング１１０には、ピン４３０を案内するガイド孔１１７が形成されている。そして、ムービングプレート１２０には、レバー４００の回動方向に交差する方向に沿って形成され、ピン４３０が所定の範囲で移動可能なガイド孔１２７が形成されている。
【００７０】
（２）ムービングプレート１２０の動き
図１６〜図１８に示すように、レバー４００の回動によるピン４３０のガイド孔１１７に対する移動のうち、雌コネクタ２００の雄コネクタ１００に対する嵌合離脱方向の移動成分によって、ムービングプレート１２０が初期位置と退避位置との間で移動する。
【００７１】
具体的には、雄コネクタ１００と雌コネクタ２００とが嵌合する場合、雄ハウジング１１０の内部への雌ハウジング２１０の挿入により、回動前ロック部１１５とレバー４００とが解除状態となる。ピン４３０は、ガイド孔１１７に案内されながらガイド孔１２７内を摺動し、縦方向（図面では上方向）に移動する。すると、ムービングプレート１２０は、雄ハウジング１１０内で初期位置から退避位置に移動する。そして、雄端子１０２は、ムービングプレート１２０から露出された状態となり、雌端子２０２と導通接続される。このとき、レバー４００は、回動後ロック部１１６に保持される。
【００７２】
一方、雄コネクタ１００と雌コネクタ２００とが離脱する場合、雄ハウジング１１０の内部からの雌ハウジング２１０の離脱により、回動後ロック部１１６とレバー４００との解除状態となる。ピン４３０は、ガイド孔１１７に案内されながらガイド孔１２７内を摺動し、縦方向（図面では下方向）に移動する。すると、ムービングプレート１２０は、雄ハウジング１１０内で退避位置から初期位置に復帰する。そして、雄端子１０２は、ムービングプレート１２０から露出せずに、レバー４００は、回動前ロック部１１５に保持される。
【００７３】
ここで、第２実施形態では、回動前ロック部１１５は、雄ハウジング１１０内でムービングプレート１２０を初期位置で保持する初期位置係止部を構成している。また、雌ハウジング２１０は、雄コネクタ１００と雌コネクタ２００とが嵌合する際、雄ハウジング１１０の内部への挿入によって回動前ロック部１１５とレバー４００とを解除して、ムービングプレート１２０の雄ハウジング１１０に対する係止を解除する係止解除部を構成している。
【００７４】
（３）作用・効果
以上説明した第２実施形態では、雌コネクタ２００の雄コネクタ１００に対する嵌合離脱方向の移動成分によって、ムービングプレート１２０が初期位置と退避位置との間で移動する。これにより、レバー４００の回動操作に伴ってムービングプレート１２０を初期位置と退避位置に移動できる。このため、雄端子１０２に接触する可能性がある工具等に対する雄端子１０２の保護を確保した上で、雄コネクタ１００と雌コネクタ２００との嵌合離脱を容易にできる。
【００７５】
（その他の実施形態）
上述したように、本発明の実施形態を通じて本発明の内容を開示したが、この開示の一部をなす論述及び図面は、本発明を限定するものではない。この開示から当業者には様々な代替実施の形態、実施例及び運用技術が明らかとなる。
【００７６】
例えば、本発明の実施形態は、次のように変更することができる。具体的には、第１，第２実施形態では、ムービングプレート１２０は、雄コネクタ１００に設けられているものとして説明したが、これに限定されるものではなく、雌コネクタ２００に設けられていてもよい。
【００７７】
また、第２実施形態では、ピン４３０がレバー４００に設けられ、ガイド孔１２７がムービングプレート１２０に設けられるものとして説明したが、これに限定されるものではなく、ピン４３０がムービングプレート１２０に設けられ、ガイド孔１２７がレバー４００に設けられていてもよい。
【００７８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７９】
１，２…シールドコネクタ
１０…初期位置係止部
１１…ロック係止壁
２０…係止解除部
２１…ロック解除片
２２…プレート引戻片
１００…雄コネクタ（第１コネクタ）
１０１…電線
１０２…雄端子（第１端子）
１０３…編組線
１１０…雄ハウジング（第１ハウジング）
１２０…ムービングプレート
１２７…ガイド孔
１３０…弾性変形部
１３１…ロック係止片
１３２…引戻係止片
２００…雌コネクタ（第２コネクタ）
２０２…雌端子（第２端子）
２０３…編組線
２１０…雌ハウジング（第２ハウジング）
２３０…電線
４００…レバー
４１０…回動軸
４３０…ピン
【図１Ａ】
0005690445.tif 000002
【図１Ｂ】
0005690445.tif 000003
【図２Ａ】
0005690445.tif 000004
【図２Ｂ】
0005690445.tif 000005
【図３】
0005690445.tif 000006
【図４Ａ】
0005690445.tif 000007
【図４Ｂ】
0005690445.tif 000008
【図５】
0005690445.tif 000009
【図６Ａ】
0005690445.tif 000010
【図６Ｂ】
0005690445.tif 000011
【図７Ａ】
0005690445.tif 000012
【図７Ｂ】
0005690445.tif 000013
【図７Ｃ】
0005690445.tif 000014
【図８Ａ】
0005690445.tif 000015
【図８Ｂ】
0005690445.tif 000016
【図９】
0005690445.tif 000017
【図１０】
0005690445.tif 000018
【図１１】
0005690445.tif 000019
【図１２】
0005690445.tif 000020
【図１３】
0005690445.tif 000021
【図１４】
0005690445.tif 000022
【図１５】
0005690445.tif 000023
【図１６】
0005690445.tif 000024
【図１７】
0005690445.tif 000025
【図１８】
0005690445.tif 000026